(57)【要約】      （修正有）【課題】手に確実に固定することができ、筆記具を使用して、紙面に字や絵を書いている際に、筆記具の芯やインクで手が汚れることを防止できる手汚れ防止具を提供する。【解決手段】手汚れ防止具１は、鉛筆Ｐを用いて紙面に筆記する際に使用されるものであり、表地７に面ファスナ５、裏地８に面ファスナを有するベルト部材２と、ベルト部材の上端に設けられ、少なくとも紙面と接する手Ｈの平の側部を覆う被覆部材３と、被覆部材に設けられた指通し部材４とを備え、指通し部材に指を通し、裏地の面ファスナを表地の面ファスナに取り付けることで、ベルト部材を手首に固定する構成をとる。【選択図】図３
0003220090.tif 000002
【実用新案登録請求の範囲】
【請求項１】
筆記具を用いて紙面に筆記する際に使用される手汚れ防止具であって、
表地に第一取付部、裏地に第二取付部を有するベルト部材と、
前記ベルト部材の上端に設けられ、少なくとも前記紙面と接する手の平の側部を覆う被覆部材と、
前記被覆部材に設けられた指通し部材と、を備え、
前記指通し部材に指を通し、前記第一取付部を前記第二取付部に取り付けることで、前記ベルト部材を手首に固定する、
ことを特徴とする手汚れ防止具。
【請求項２】
前記被覆部材は、前記ベルト部材の長手方向の中央部分に設けられ、
前記ベルト部材、前記被覆部材、及び前記指通し部材は、フェルト素材で構成され、
前記第一取付部及び前記第二取付部が面ファスナであり、
前記ベルト部材、前記被覆部材、及び前記指通し部材の表地は黒色であり、ラメパウダーが含まれ、
前記手の平と接触する前記被覆部材の裏地に、動物やキャラクターが施されている、
ことを特徴とする請求項１に記載の手汚れ防止具。
【考案の詳細な説明】
【技術分野】
【０００１】
本考案は、筆記用具を使用している際に手が汚れることを回避できる手汚れ防止具に関するものである。
【背景技術】
【０００２】
小学生が授業中に黒板の文字をノートに写すときや、家で宿題をするときに、ノート上の鉛筆の芯の粉末が手の平の側部に付着し、手が汚れることがある。鉛筆の芯の粉末によって、手が汚れてしまうことを防止するための手汚れシートが知られている（例えば、特許文献１）。
【０００３】
特許文献１の手汚れシートは、１枚のシートで形成されたものであり、手首を装着する手首用リングと、少なくとも小指を装着する小指用リングを備え、手首用リングの形成方向に対して、小指用リングの形成方向が、角度を持って有している。この手汚れシートには、ＰＰフィルム、ＰＥＴフィルム、ポリエチレンフィルム等の樹脂製フィルムを使用されている。
【先行技術文献】
【特許文献】
【０００４】
【特許文献１】特許第３０８２５９６号公報
【考案の概要】
【考案が解決しようとする課題】
【０００５】
手汚れ防止具には、鉛筆の芯の粉末で手が汚れないことに加え、使用者の手の動きの妨げとならないことが重要である。特許文献１に記載の手汚れシートは、手首用リングに手首を挿入して使用する。使用する際、特許文献１の手汚れシートにおいて、手首と手首用リングの周囲との間に隙間が生じる部分が存在する。そのため、この手汚れシートは、手に確実に固定されないため、使用者の手の動きに追従せず、文字を書く際に妨げになる場合がある。この場合、使用者に違和感を生じさせ、使用者は文字を書くことに集中できなくなる。
【０００６】
そこで、本考案は、手に確実に固定することができ、筆記具を使用して、紙面に字や絵を書いている際に、筆記具の芯の粉末やインクで手が汚れることを防止できる手汚れ防止具を提供することを目的とする。
【課題を解決するための手段】
【０００７】
本考案に係る手汚れ防止具は、筆記具を用いて紙面に筆記する際に使用されるものであって、表地に第一取付部、裏地に第二取付部を有するベルト部材と、ベルト部材の上端に設けられ、少なくとも紙面と接する手の平の側部を覆う被覆部材と、被覆部材に設けられた指通し部材とを備え、指通し部材に指を通し、第一取付部を第二取付部に取り付け、ベルト部材を手首に固定することを特徴とする。
【０００８】
本考案に係る手汚れ防止具は、被覆部材がベルト部材の長手方向の中央部分に設けられ、ベルト部材、被覆部材、及び指通し部材がフェルト素材で構成され、第一取付部及び第二取付部が面ファスナであり、ベルト部材、被覆部材及び指通し部材の表地は黒色であり、ラメパウダーが含まれ、被覆部材の手の平と接触する裏地に動物やキャラクターが施されていることを特徴とする。
【考案の効果】
【０００９】
本考案に係る手汚れ防止具は、被覆部材により紙面と接する手の平の側部が覆われるため、例えば、筆記具として鉛筆を使用した場合、鉛筆の芯の粉末が、使用者の手の平の側部に付着することを回避できる。したがって、この手汚れ防止具を装着することで、手が汚れることを回避できると共に、紙面が汚れることも回避できる。
【００１０】
本考案に係る手汚れ防止具は、指通し部材に小指を差し込み、かつ表地の第一取付部と裏地の第二取付部によって、ベルト部材が手首に取り付けられるため、手に確実に固定される。したがって、筆記具で文字や絵を書く際に手の動きの妨げにならず、使用者は違和感なく文字や絵を書くことができる。
【００１１】
さらに、本考案に係る手汚れ防止具は、第一取付部及び第二取付部に面ファスナを使用し、手首にベルト部材を取り付け、又は取り外しする。したがって、例えば、幼稚園児や小学生でも、簡単に使用することができ、利便性が非常に高い。
【００１２】
本考案の手汚れ防止具では、被覆部材がベルト部材の長手方向の中央部分に設けられているため、右手に取り付ける場合でも、左手に取り付ける場合でも、同じ位置で第一取付部と第二取付部を重ね合わせることができる。したがって、この手汚れ防止具は、使用者が右利きでも、左利きでも使用することができる。
【００１３】
また、本考案の手汚れ防止具のベルト部材及び被覆部材は、フェルト素材で構成されているため、使用者が長時間使用していても手が疲れないことに加え、違和感なく字を書くことができる。
【００１４】
本考案の手汚れ防止具のベルト部材、被覆部材、及び指通し部材の表地は黒色であるため、例えば、鉛筆の芯の粉末が被覆部材等の表地に付着しても、汚れが目立たない。また、表地にはラメパウダーが含まれているため、例えば、小学生が使用する場合、このラメパウダーを見て、楽しい気分になる。
【００１５】
本考案の手汚れ防止具は、被覆部材の裏地に、動物やキャラクターが施されているため、使用者はこれらの動物やキャラクター見ることで、楽しい気分になり、例えば、小学生が嫌いな宿題をする場合でも、楽しい気分で宿題をすることができる。
【図面の簡単な説明】
【００１６】
【図１】本考案に係る手汚れ防止具の背面図である。
【図２】本考案に係る手汚れ防止具の正面図である。
【図３】本考案に係る手汚れ防止具の使用方法を説明するための図である。
【考案を実施するための形態】
【００１７】
本実施形態に係る手汚れ防止具を、図１から図３を参照し、説明する。
この手汚れ防止具は、筆記具を用いて紙面に筆記する際に使用される。本実施形態では、小学生が鉛筆を用いて、宿題をする際に使用する場合を例として、説明する。なお、本実施形態では、図１に基づいて、ベルト部材の長手方向を横方向Ｘ、横方向Ｘと直交する方向を縦方向Ｙとする。
【００１８】
本実施形態に係る手汚れ防止具１は、図１に示すように、第一取付部としての面ファスナ５及び第二取付部としての面ファスナ６を有するベルト部材２と、ベルト部材２の上端２Ａに設けられ、紙面と接する手の平の側面を覆う被覆部材３と、被覆部材３の上端に設けられた指通し部材４とを備えている。この手汚れ防止具１は、指通し部材４に指（例えば、小指）を通し、表地７の面ファスナ５を裏地８の面ファスナ６に取り付けることで、手首に固定される。
【００１９】
［ベルト部材２］
ベルト部材２は、矩形状であり、フェルト素材で構成されている。このベルト部材２の長さは、使用者の手首の長さに応じて、適宜決定される。ベルト部材２の表地７の横方向Ｘの右端部には、図２に示すように、面ファスナ５が縫合されている。一方、ベルト部材２の裏地８の横方向Ｘの右端部には、面ファスナ６が縫合されている。
また、ベルト部材２の表地７には、ラメパウダー９が含まれている。なお、後述する被覆部材３及び指通し部材４の表地７にもラメパウダー９が含まれている。
【００２０】
［被覆部材３］
被覆部材３は、半楕円形状であり、フェルト素材で構成されている。被覆部材３は、ベルト部材２の上端部２Ａ、かつベルト部材２の横方向Ｘにおける中央部分に設けられている。また、被覆部材３において、ベルト部材２と反対側には、指通し部材４が設けられている。被覆部材３は、指通し部材４側からベルト部材２側に向けて、幅が大きくなるように、ベルト部材２に設けられている。また、被覆部材３の裏地８には、ペンギンの模様が施されている（図１）。
【００２１】
［指通し部材４］
指通し部材４は、円筒状であり、フェルト素材で構成されている。この指通し部材４の内径は、少なくとも小指を通すことができる長さに設計されている。
この指通し部材４は、被覆部材３の上端に設けられ、花模様が施されている。指通し部材４を被覆部材３の上端に設けることで、指通し部材４は、ペンギンが被っている帽子として使用者に認識される。
【００２２】
次に、本実施形態に係る手汚れ防止具１の使用方法について説明する。
【００２３】
まず、指通し部材４に小指を差し込み、指通し部材４の下端部を小指の付け根まで到達させる。次に、ベルト部材２を手首に巻きつけ、表地７の面ファスナ５に裏地８の面ファスナ６を重ね合わせ、ベルト部材２を手首に固定する。そうすると、図３に示すように、被覆部材３によって、紙面と接する手Ｈの平の側部が覆われる。この際、手汚れ防止具１は、小指の付け根の位置及び手首の位置で、固定される。
使用者は、この手汚れ防止具１を手に装着した後、鉛筆Ｐ（シャープペンシル）を使用して、宿題をする。
【００２４】
次に、本実施形態に係る手汚れ防止具１の作用効果について説明する。
【００２５】
本実施形態に係る手汚れ防止具１は、被覆部材３により手Ｈの平の側部が覆われる。そうすると、紙面上の鉛筆Ｐの芯の粉末に手Ｈの平の側部が直接接触したり、紙面の文字を手Ｈの平の側部で擦ったりした場合、芯の粉末は、被覆部材３に付着する。そのため、使用者の手Ｈの平に芯の粉末が直接付着することを回避でき、手が汚れることを防止できる。
【００２６】
また、本実施形態に係る手汚れ防止具１を着用することで、手Ｈの平の側部に、鉛筆Ｐの芯の粉末が付着しないため、紙面も汚さずに、文字を書くことができる。
【００２７】
本実施形態に係る手汚れ防止具１は、指通し部材４に小指を差し込むと共に、ベルト部材２で手首に固定される。指通し部材４とベルト部材２の２箇所で固定されるため、手汚れ防止具１を手に確実に固定することができ、鉛筆Ｐで文字を書く際、手の動きに追従し、手の動きの妨げにならない。そのため、使用者は、違和感なく文字を書くことができる。
【００２８】
本実施形態に係る手汚れ防止具１は、面ファスナ５，６を使用して、ベルト部材２の取り付け及び取り外しをすることができる。そのため、手汚れ防止具１を容易に取り付け及び取り外しすることができる。このように、手汚れ防止具１は、取り扱いが容易であるため、特に、幼稚園児や小学生にとって、利便性が高い。
【００２９】
本実施形態に係る手汚れ防止具１では、ベルト部材２の横方向Ｘの中央部分に被覆部材３が設けられている。そうすると、使用者が右利きの場合でも、左利きの場合でも、使用することができるため、手汚れ防止具１は汎用性が高い。また、ベルト部材２及び被覆部材３は、フェルト素材で構成されているため、手汚れ防止具１を手にしっかり固定することができ、使用者が長時間文字を書いている場合でも、手が疲れないことに加え、違和感なく文字を書くことができる。
【００３０】
また、手汚れ防止具１を構成するベルト部材２、被覆部材３、及び指通し部材４の表地７は黒色であるため、例えば、鉛筆Ｐの芯の粉末が被覆部材等の表地７に付着した場合でも、汚れが目立たない。
さらに、ベルト部材２等の表地７には、ラメパウダー９が含まれ、かつ被覆部材３の裏地８には、ペンギンが施されているため、宿題をする小学生は、ラメパウダー９やペンギンを見ることで、楽しい気分になり、嫌いな宿題をする場合でも、楽しい気分で宿題をすることができる。
【００３１】
手汚れ防止具１は、手（小指、手の平、手首）のサイズが同じであれば、例えば、双子の姉妹で共有し、使用することができる。また、この手汚れ防止具１は、被覆部材３のサイズ、ベルト部材２の長さを変更することで、大人用サイズに変更できるため、小学生が使用する場合だけでなく、例えば、姉妹の両親も使用することができる。
【００３２】
以上、本実施形態について説明したが、これ以外にも、本考案の主旨を逸脱しない限り、上記実施の形態で挙げた構成を取捨選択したり、他の構成に適宜変更することが可能である。
本実施形態では、第一取付部及び第二取付部に面ファスナ５，６を使用した例についてが、ベルト部材２を手首に固定できるものであれば、面ファスナに限定されない。例えば、第一取付部としてボタンを使用し、第二取付部をボタン穴とすることができる。また、本実施形態の手汚れ防止具１では、長時間使用しても手が疲れないような柔らかい素材としてフェルト素材を使用したが、これ以外の素材を使用することもできる。
【００３３】
また、本実施形態では、被覆部材３の裏地８に、ペンギンの模様が施されている例を示したが、その他の動物、アニメキャラクター、植物、乗り物が施されていてもよい。
【符号の説明】
【００３４】
１      手汚れ防止具
２      ベルト部材
２Ａ    上端
３      被覆部材
４      指通し部材
５      面ファスナ（第一取付部）
６      面ファスナ（第二取付部）
７      表地
８      裏地
９      ラメパウダー
Ｐ      鉛筆
Ｈ      手
Ｘ      横方向
Ｙ      縦方向
【図１】
0003220090.tif 000003
【図２】
0003220090.tif 000004
【図３】
0003220090.tif 000005